(57)【要約】      （修正有）【課題】集水空間を備える本体部を強力に固定可能な埋設構造物を提供する。【解決手段】路面に埋設され、路面からの雨水等を排水する埋設構造物３００であって、内部に集水空間を備える本体部１００と、当該本体部１００を設置する土台部とを備え、当該土台部は、底壁から上方に形成された当接壁と側壁とを備え、前記本体部１００の側壁１２０の下端１２１側には、前記当接壁の円弧状の表面２２１と対応した形状の当接部１３０を備え、当該当接部１３０が前記当接壁に当接した状態で、前記本体部１００の側壁１２０の下端１２１側の外面と前記土台部の側壁との間に、充填材Ｃを充填可能な第一充填空間Ｘ１を備え、当該第一充填空間Ｘ１は、前記本体部１００の側壁１２０の下端１２１と前記土台部の底壁との間の、前記充填材Ｃを充填可能な第二充填空間Ｘ２と連通していることを特徴とする。【選択図】図６
2019152017.tif 000002
【特許請求の範囲】
【請求項１】
路面に埋設され、路面からの雨水等を排水する埋設構造物であって、
内部に集水空間を備える本体部と、当該本体部を設置する土台部とを備え、
当該土台部は、底壁から上方に形成された当接壁と側壁とを備え、
前記本体部の側壁の下端側には、前記当接壁の円弧状の表面と対応した形状の当接部を備え、
当該当接部が前記当接壁に当接した状態で、前記本体部の側壁の下端側の外面と前記土台部の側壁との間に、充填材を充填可能な第一充填空間を備え、
当該第一充填空間は、前記本体部の側壁の下端と前記土台部の底壁との間の、前記充填材を充填可能な第二充填空間と連通していることを特徴とする埋設構造物。
【請求項２】
前記土台部は、前記側壁を前記底壁の両側に備え、
前記本体部の両側の側壁の外面と、前記土台部の両側の側壁との間のそれぞれに、前記第一充填空間を備えることを特徴とする請求項１に記載の埋設構造物。
【請求項３】
前記第二充填空間は、前記本体部の長尺方向に沿って延びるように連続して形成されていることを特徴とする請求項１又は２に記載の埋設構造物。
【請求項４】
前記本体部の側壁の下端側の内面に、充填材を充填可能な第三充填空間を備え、当該第三充填空間は、前記第二充填空間と連通していることを特徴とする請求項１から３のいずれかに記載の埋設構造物。
【発明の詳細な説明】
【技術分野】
【０００１】
本願発明は、勾配を有する道路や、林道等の路面を横断するようにして埋設される側溝等の埋設構造物に関する。
【背景技術】
【０００２】
従来から、勾配を有する道路や林道では、その路面を横断するようにして、側溝等の埋設構造物が埋設されている。この側溝は、路面からの雨水等を集水して排水している。ただ、側溝は水平に設置される場合が多く、この側溝と、その周囲の勾配を有する路面との間で、勾配変化が不連続となっていた。そのため、路面を走行している車両等が側溝を横断すると、不連続な勾配変化を拾ってしまい、同乗者や積荷に衝撃が伝わるという問題があった。また、その衝撃により埋設構造物も破損するという問題があった。
【０００３】
そこで、特許文献１に開示された埋設構造物は、内部に集水空間を備える本体部と、当該本体部を設置する設置面を設けた土台部とを備えたものであって、前記本体部の底壁は、円弧状をしており、前記設置面は、前記底壁と対応した形状をしているため、周囲の路面勾配に合わせて、前記本体部を当該設置面上で傾斜させて、不連続な勾配変化を無くしていた。
【０００４】
さらに、特許文献１の埋設構造物は、本体部の底壁に、ボルト等の固定部材が貫通可能な長尺状の貫通孔を設け、前記設置面には、前記固定部材の先端を固定可能な固定穴を設けているので、傾斜した状態の本体部を固定することができ、埋設構造物の設置作業が容易となっていた。
【０００５】
しかしながら、本体部の高さが高くなるなどして、本体部の重量が大幅に増加した場合は、本体部が動かないように、特許文献１の固定部材の固定力よりも更に強力に本体部を固定するのが好ましい。
【先行技術文献】
【特許文献】
【０００６】
【特許文献１】特願２０１３−２１９１０９号
【発明の開示】
【発明が解決しようとする課題】
【０００７】
そこで、本願発明は、集水空間を備える本体部を強力に固定可能な埋設構造物を提供することを目的とする。
【課題を解決するための手段】
【０００８】
上記課題を解決するために、本願発明の埋設構造物は、路面に埋設され、路面からの雨水等を排水する埋設構造物であって、内部に集水空間を備える本体部と、当該本体部を設置する土台部とを備え、当該土台部は、底壁から上方に形成された当接壁と側壁とを備え、前記本体部の側壁の下端側には、前記当接壁の円弧状の表面と対応した形状の当接部を備え、当該当接部が前記当接壁に当接した状態で、前記本体部の側壁の下端側の外面と前記土台部の側壁との間に、充填材を充填可能な第一充填空間を備え、当該第一充填空間は、前記本体部の側壁の下端と前記土台部の底壁との間の、前記充填材を充填可能な第二充填空間と連通していることを特徴としている。
【０００９】
上記特徴によれば、本体部を傾斜させた状態で、本体部の側面側を第一充填空間内の充填材によって固定し、本体部の下方側を第二充填空間内の充填材によって固定することができるので、本体部の位置姿勢を強力に固定することができる。
【００１０】
さらに、上記課題を解決するために、本願発明の埋設構造物は、前記土台部は、前記側壁を前記底壁の両側に備え、前記本体部の両側の側壁の外面と、前記土台部の両側の側壁との間のそれぞれに、前記第一充填空間を備えることを特徴とする。
【００１１】
上記特徴によれば、本体部は両側から第一充填空間内の充填材によって固定されることとなり、本体部の位置姿勢は更に強力に固定されるのである。
【００１２】
さらに、上記課題を解決するために、本願発明の埋設構造物は、前記第二充填空間は、前記本体部の長尺方向に沿って延びるように連続して形成されていることを特徴とする。
【００１３】
上記特徴によれば、本体部の下方側が長尺方向の全面にわたり固定されることとなり、本体部の位置姿勢は更に強力に固定されるのである
【００１４】
上記課題を解決するために、本願発明の埋設構造物は、前記本体部の側壁の下端側の内面に、充填材を充填可能な第三充填空間を備え、当該第三充填空間は、前記第二充填空間と連通していることを特徴とする。
【００１５】
上記特徴によれば、本体部の下端は、外側の第一充填空間と内側の第三充填空間のそれぞれに充填された充填材によって、内外から強力に固定されることとなり、本体部の位置姿勢は更に強力に固定されるのである。
【発明の効果】
【００１６】
上述したように、本願発明の埋設構造物は、集水空間を備える本体部を強力に固定可能である。
【図面の簡単な説明】
【００１７】
【図１】（ａ）は本体部の全体斜視図、（ｂ）は本体部の底面図、（ｃ）は本体部の側面図である。
【図２】（ａ）は土台部の全体斜視図、（ｂ）は土台部の平面図、（ｃ）は土台部の側面図である。
【図３】（ａ）は、土台部を一列に並べた状態の全体斜視図、（ｂ）は、土台部の上に本体部を載せた状態の埋設構造物の全体斜視図である。
【図４】（ａ）は図３（ｂ）におけるＡーＡ断面図、（ｂ）は図３（ｂ）におけるＢーＢ断面図である。
【図５】（ａ）は、図４（ａ）の状態から本体部を傾斜させた断面図、（ｂ）は、図４（ｂ）の状態から本体部を傾斜させた断面図である。
【図６】本体部が傾斜した状態の埋設構造物の端部側を拡大した斜視図である。
【符号の説明】
【００１８】
１００        本体部
１２０        側壁
１２１        下端
１２２        外面
１３０        当接部
２００        土台部
２１０        底壁
２２０        土台部
２３０        側壁
３００        埋設構造物
Ｘ１          第一充填空間
Ｘ２          第二充填空間
【発明を実施するための形態】
【００１９】
以下に、本願発明の実施の形態について、図面を用いて説明する。
【００２０】
まず、図１に、本願発明の埋設構造物３００の本体部１００を示す。図１（ａ）は本体部１００の全体斜視図、図１（ｂ）は本体部１００の底面図、図１（ｃ）は本体部１００の側面図である。
【００２１】
図１に示すように、本体部１００は、上壁１１０と、当該上壁１１０の両端から下方へ延びる側壁１２０と、上壁１１０と両側の側壁１２０とで囲まれた集水空間Ｓを備える。上壁１１０は平坦な形状をしており、その略中央部分に開口１１１を備える。この開口１１１は路面からの雨水等を集水空間Ｓへ排水するものであり、通常は、通水部分を備えるグレーチング等の蓋体で閉じられている。また、両側の側壁１２０は、上壁１１０から略直角に下方へ延びて、互いに平行となっており、平坦な形状をしている。そして、側壁１２０の外面１２２は、上端から下端１２１まで平坦であるが、下端１２１の両端には円弧状の表面１３１を備えた当接部１３０が設けられている。そのため、当接部１３０の表面１３１は、周囲の外面１２２より内側に窪んだ状態となっている。また、側壁１２０の内面１２４は、上端から下端１２１まで平坦となっている。さらに、下端１２１の底面１２３は平坦面となっているが、その両端の外面１２２側は円弧状の表面１３１となっている。
【００２２】
また、この本体部１００は、全体がコンクリート製であり、両側の側壁１２０の下端１２１同士が離間して、下方が開放された状態となっている。そして、後述するように、集水空間Ｓ側からモルタル等の充填材を流し込んで、下方の開放された部分を埋め、その充填材によって、集水空間Ｓの底面部が構成されるのである。また、充填材の量を増減させれば、集水空間Ｓの底面部の位置も上下するので、集水空間Ｓの深さを任意に調節できるのである。この本体部１００は、集水空間Ｓの深さを調節できるように、側壁１２０を上下に長く形成してあり、いわゆる可変側溝と呼ばれるものである。
【００２３】
次に、図２に本願発明の埋設構造物３００の土台部２００を示す。図２（ａ）は土台部２００の全体斜視図、図２（ｂ）は土台部２００の平面図、図２（ｃ）は土台部２００の側面図である。
【００２４】
図２に示すように、土台部２００は略直方体形状をしており、平坦な底壁２１０と、当該底壁２１０から上方に立ち上がるように形成された当接壁２２０と側壁２３０とを備える。底壁２１０には、側壁２３０と並列するように、充填孔２１１が形成されている。また、当接壁２２０は略台形形状をしており、底壁２１０の両側に設けられた当接壁２２０は、互いに相対するように配置されている。この当接壁２２０の内側の表面２２１は、円弧状をしており、本体部１００の当接部１３０の表面１３１が表面２２１上で傾斜できるように、当接部１３０の表面１３１と対応した形状をしている。
【００２５】
さらに、側壁２３０は板状形状をしており、底壁２１０の両側に設けられた側壁２３０は、互いに相対するように配置されている。また、当接壁２２０と側壁２３０は連続して設けられており、当接壁２２０は、側壁２３０よりも内側に向けて突出した状態となっている。そのため、突出した当接壁２２０は本体部１００の下端１２１に当接するが、当接壁２２０よりも外側に配置された側壁２３０は、本体部１００の下端１２１に当接せず、側壁２３０と本体部１００の下端１２１の間には隙間が形成される。詳しくは後述するが、この隙間は、充填材を充填可能な第一充填空間Ｘ１となる。
【００２６】
なお、この図２に示す土台部２００は、略中央に２つの当接壁２２０、当該各当接壁２２０の両側に計４つの側壁２３０が配置されているが、この配置に限定されず、土台部２００は当接壁２２０と側壁２３０のそれぞれを少なくとも一つ以上備えていればよく、例えば、図３（ａ）に示すように、土台部２００を中央で分断した形状の土台部２００Ａのように、当接壁２２０Ａを２つ、各当接壁２２０Ａの片側に計２つの側壁２３０Ａを配置してもよい。また、図２では、土台部２００の両側に、当接壁２２０及び側壁２３０が相対するように配置されているが、これに限定されず、土台部２００の片側のみに、当接壁２２０及び側壁２３０を設けてもよい。
【００２７】
では次に、図３を参照して、土台部２００の上に本体部１００を載置した状態の埋設構造物３００について説明する。なお、図３（ａ）は、土台部２００及び土台部２００Ａを一列に並べた状態の全体斜視図、図３（ｂ）は、土台部２００の上に本体部１００を載せた状態の埋設構造物３００の全体斜視図である。
【００２８】
図３（ａ）に示すように、土台部２００の長尺方向の両側に、土台部２００Ａを一列に並べて配置する。隣接する土台部２００の側壁２３０と土台部２００Ａの側壁２３０Ａは直線状に並んでいる。また、隣接する土台部２００の当接壁２２０と土台部２００Ａの当接壁２２０Ａの距離は、本体部１００の長尺方向の両端の当接部１３０同士の距離に対応している。そのため、図３（ｂ）に示すように、本体部１００の両端の当接部１３０のそれぞれは、土台部２００の当接壁２２０と土台部２００Ａの当接壁２２０Ａに当接し、安定して載置されるのである。
【００２９】
では次に、図４を参照して、本体部１００が土台部２００に設置された状態をより詳しく説明する。なお、図４（ａ）は図３（ｂ）におけるＡーＡ断面図、図４（ｂ）は図３（ｂ）におけるＢーＢ断面図である。また、図３（ｂ）では、ＡーＡ断面図及びＢーＢ断面図のそれぞれの断面を仮想線で示している。
【００３０】
まず、図４（ａ）は、土台部２００の当接壁２２０を通る断面図となっており、本体部１００の当接部１３０の表面１３１が、土台部２００の当接壁２２０の表面２２１に当接して、本体部１００は土台部２００上に安定して載置されている。そして、当接壁２２０の表面２２１は円弧状をしており、当接部１３０の表面１３１も表面２２１に対応するように円弧状をしているので、当接部１３０の表面１３１は、当接壁２２０の表面２２１上を表面２２１に沿って滑らかに移動することができる。また、当接壁２２０は底壁２１０より上方に形成されているので、当接壁２２０上に載置された本体部１００は、底壁２１０から離間した状態となる。そのため、本体部１００の下端１２１と底壁２１０の間には、後述するように充填材を充填可能な第二充填空間Ｘ２が形成されている。
【００３１】
次に、図４（ｂ）は、土台部２００の側壁２３０を通る断面図となっており、側壁２３０は当接壁２２０より外側に配置されているので、本体部１００の下端１２１と当接することがなく、両者は離間している。そのため、下端１２１の外面１２２と側壁２３０との間には、充填材を充填可能な第一充填空間Ｘ１が形成されている。また、本体部１００は、底壁２１０より上方に突出している当接壁２２０によって支持されているので、本体部１００の下端１２１の底面１２３と土台部２００の底壁２１０とは離間している。そのため、第一充填空間Ｘ１と第二充填空間Ｘ２は、下端１２１の底面１２３と底壁２１０の間を介して互いに連通した状態となっている。
【００３２】
では次に、図５を参照して、本体部１００を土台部２００上で傾斜させた状態について説明する。なお、図５（ａ）は、図４（ａ）の状態から本体部１００を傾斜させた断面図、図５（ｂ）は、図４（ｂ）の状態から本体部１００を傾斜させた断面図である。
【００３３】
まず、図５（ａ）に示すように、埋設構造物３００を埋設する路面の勾配に一致するように、本体部１００を任意の角度だけ傾斜させる。本体部１００の当接部１３０の表面１３１は、円弧状の表面２２１と対応した形状をしているので、本体部１００を表面２２１上で任意の角度へ容易に傾斜させることができる。そして、その傾斜した状態の本体部１００の位置姿勢を固定するために、第二充填空間Ｘ２にモルタルやインバートコンクリート等の充填材Ｃを充填していく。充填材Ｃは、本体部１００の上壁１１０の開口１１１を介して第二充填空間Ｘ２に充填することができる。そして、第二充填空間Ｘ２に流し込まれた充填材Ｃは、図５（ｂ）に示すように、第二充填空間Ｘ２に連通している第一充填空間Ｘ１に流れ込み、第一充填空間Ｘ１は充填材Ｃによって充填される。また、集水空間Ｓの下方は第二充填空間Ｘ２と連通しているので、第二充填空間Ｘ２に充填材Ｃが充填されると、その充填された充填材Ｃによって、集水空間Ｓの底面部が形成されることになる。そのため、第二充填空間Ｘ２に充填される充填材Ｃの量を増減させれば、集水空間Ｓの底面部の位置を上下させて、任意の深さの集水空間Ｓを形成することができる。
【００３４】
そして、第一充填空間Ｘ１内の充填材Ｃが固化することで、本体部１００の下端１２１の外面側が固定される。さらに、第二充填空間Ｘ２内の充填材Ｃが固化することで、本体部１００の下方側が固定されることになる。つまり、本願発明の埋設構造物３００によれば、本体部１００を傾斜させた状態で、本体部１００の側面側を第一充填空間Ｘ１内の充填材Ｃによって固定し、本体部１００の下方側を第二充填空間Ｘ２内の充填材Ｃによって固定することができるので、本体部１００の位置姿勢を強力に固定することができるのである。
【００３５】
特に、土台部２００の底壁２１０よりも上方に当接壁２２０を設けて、本体部１００の下端１２１を底壁２１０から離間させたことで、本体部１００の下端１２１側に十分な第二充填空間Ｘ２を確保している。そのため、第二充填空間Ｘ２内に充填した充填材Ｃによって、本体部１００の位置姿勢は強力に固定されるのである。なお、充填材Ｃが固化して本体部１００の位置姿勢が固定された後は、埋設構造物３００は埋め戻されて路面に埋設されることになる。そして、路面からの雨水は本体部１００の開口１１１を介して集水空間Ｓに排水されるのである。
【００３６】
さらに、本願発明の埋設構造物３００によれば、土台部２００が底壁２１０の両側に側壁２３０を備え、本体部１００の両側の側壁１２０の外面１２２と側壁２３０との間のそれぞれに、第一充填空間Ｘ１を備えているため、本体部１００は両側から第一充填空間Ｘ１内の充填材Ｃによって固定されることとなり、本体部１００の位置姿勢は更に強力に固定されるのである。
【００３７】
また、図５に示すように、第二充填空間Ｘ２に充填した充填材Ｃは、底壁２１０の充填孔２１１にも流れ込んで充填されることから、充填孔２１１内で固化した充填材Ｃによって、第二充填空間Ｘ２内で固化した充填材Ｃが底壁２１０に強力に固定され、本体部１００の位置姿勢は更に強力に固定されるのである。
【００３８】
また、図４及び図５に示すように、側壁１２０は互いに平行に配置され、側壁１２０の内面１２４同士が離間して、本体部１００の下方が開放された状態となっている。そのため、側壁１２０の下端１２１の内面１２４側には、第三充填空間Ｘ３が形成されている。そして、第三充填空間Ｘ３と第二充填空間Ｘ２とは連通しているので、第二充填空間Ｘ２に充填された充填材Ｃは第三充填空間Ｘ３にも充填されることになる。すると、本体部１００の下端１２１は、外側の第一充填空間Ｘ１と内側の第三充填空間Ｘ３のそれぞれに充填された充填材Ｃが固化することによって、内外から強力に固定されることとなり、本体部１００の位置姿勢は更に強力に固定されるのである。
【００３９】
なお、図５及び図６では、側壁１２０の下端１２１同士が離間して下方が開放された状態となっているが、これに限定されず、下方の開口を閉じるように、下端１２１同士を連結する底部を備えていてもよい。その場合であっても、下端１２１同士を連結する底部と土台部２００の底壁２１０との間には、第二充填空間Ｘ２が確保されているので、第二充填空間Ｘ２に充填された充填材Ｃによって、本体部１００の位置姿勢は強力に固定される。なお、下端１２１同士を連結する底部を備える場合は、第一充填空間Ｘ１側から充填材Ｃを流し込んで、第一充填空間Ｘ１と連通した第二充填空間Ｘ２に充填材Ｃを充填することになる。また、下端１２１同士を連結する底部に貫通孔を設ければ、その貫通孔を介して集水空間Ｓ側から充填材Ｃを第二充填空間Ｘ２に流し込んで充填することができる。そして、第二充填空間Ｘ２に充填された充填材Ｃは、第二充填空間Ｘ２と連通した第一充填空間Ｘ１にも充填されることになる。また、底部の貫通孔を介して第三充填空間Ｘ３と第二充填空間Ｘ２は連通することにもなるので、本体部１００の下端１２１は、外側の第一充填空間Ｘ１と内側の第三充填空間Ｘ３のそれぞれに充填された充填材Ｃによって、内外から強力に固定されることになる。
【００４０】
次に図６に、本体部１００が傾斜した状態の埋設構造物３００の端部側を拡大した斜視図を示す。この図６に示すように、第二充填空間Ｘ２は、本体部１００の長尺方向に沿って延びるように連続して形成されているので、本体部１００の下方側が長尺方向の全面にわたり固定されることとなり、本体部１００の位置姿勢は更に強力に固定されるのである。また、第二充填空間Ｘ２は、土台部２００の当接壁２２０Ａ及び側壁２３０Ａに沿うように連続して形成されているので、本体部１００の下方と土台部２００との隣接箇所が全体的にしっかりと固定され、本体部１００の位置姿勢は更に強力に固定されるのである。
【００４１】
なお、本願発明の埋設構造物は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2019152017.tif 000003
【図２】
2019152017.tif 000004
【図３】
2019152017.tif 000005
【図４】
2019152017.tif 000006
【図５】
2019152017.tif 000007
【図６】
2019152017.tif 000008
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
路面に埋設され、路面からの雨水等を排水する埋設構造物であって、
内部に集水空間を備える本体部と、当該本体部を設置する土台部とを備え、
当該土台部は、底壁から上方に形成された当接壁と側壁とを備え、
前記本体部の両側の側壁の下端側は、互いに離間して開放されており、当該下端側には、前記当接壁の円弧状の表面と対応した形状の当接部を備え、
当該当接部が前記当接壁に当接した状態で、前記本体部の側壁の下端側の外面と前記土台部の側壁との間に、充填材を充填可能な第一充填空間を備え、
当該第一充填空間は、前記本体部の側壁の下端と前記土台部の底壁との間の、前記充填材を充填可能な第二充填空間と連通しており、
前記第二充填空間は、前記本体部の長尺方向に沿って直線状に延びるように連続して形成され、
前記本体部の側壁の下端側の内面に、充填材を充填可能な第三充填空間を備え、当該第三充填空間は、前記本体部の長尺方向に沿って直線状に延びると共に、前記第二充填空間と連通していることを特徴とする埋設構造物。
【請求項２】
前記土台部は、前記側壁を前記底壁の両側に備え、
前記本体部の両側の側壁の外面と、前記土台部の両側の側壁との間のそれぞれに、前記第一充填空間を備えることを特徴とする請求項１に記載の埋設構造物。